(57)【要約】【課題】ＰＴＰシートをトレーとして活用することで包装容器の開封作業を不要とし、ＰＴＰシートを取り出す際の二度手間を解消する。【解決手段】所定深さの複数個の窪み１１ａが形成された収容シート１１と、収容シート１１の各窪み１１ａにそれぞれ収容された内容物Ｃと、収容シート１１の窪み開口部を被覆して収容シート１１と積層された易破断性の被覆シート１２とからなるＰＴＰシート１０と、上面部２１、左右の側面部２４、底面部及び背面部２７を備え、正面が開口されたスリーブ２０とから包装容器１が構成される。そして、ＰＴＰシート１０の積層された収容シート１１及び被覆シート１２に内容物Ｃを収容する収容部１３１、正面部１３２及び差込みフラップ１３３が順に折り目を介して形成され、ＰＴＰシート１０が収容部１３１側自由端を先端としてスリーブ２０の正面開口を通して出し入れ自在に嵌挿される。【選択図】図１
2014015239.tif 000002
【特許請求の範囲】
【請求項１】
所定深さの複数個の窪みが形成された収容シートと、収容シートの各窪みにそれぞれ収容された内容物と、収容シートの窪み開口部を被覆して収容シートと積層された易破断性の被覆シートとからなるＰＴＰシートと、上面部、左右の側面部，底面部及び背面部を備え、正面が開口されたスリーブとから構成され、ＰＴＰシートの積層された収容シート及び被覆シートに内容物を収容する収容部、正面部及び差込みフラップが順に折り目を介して形成され、ＰＴＰシートが収容部側自由端を先端としてスリーブの正面開口を通して出し入れ自在に嵌挿されることを特徴とする包装容器。
【請求項２】
請求項１に記載の包装容器において、前記スリーブの一方の側面部に折り返されたポケット片を介して挿入口を形成する第２上面部が連設されて上面部と貼着されることを特徴とする包装容器。
【請求項３】
請求項２に記載の包装容器において、前記スリーブの上面部に内方に膨出するエンボス部が形成されることを特徴とする包装容器。
【請求項４】
請求項１に記載の包装容器において、前記スリーブの上面部の開口端部に切り裂き目によって切り離し片が区画され、該切り離し片とＰＴＰシートの差込みフラップとが接着されることを特徴とする包装容器。
【発明の詳細な説明】
【技術分野】
【０００１】
本発明は、包装容器に関するものである。
【背景技術】
【０００２】
従来より、プラスチックシートからなる収容シートに熱成形して形成した窪みにタブレット状やカプセル状の薬剤、チョコレート、ガム、各種サプリメント等の内容物を収容し、窪みの開口部をアルミ箔等、比較的破れ易い被覆シートで覆い、窪みの周縁部を接着又はシール等で固定するＰＴＰ（Ｐｒｅｓｓ  Ｔｈｒｏｕｇｈ  Ｐａｃｋａｇｅ）シートが知られている。
【０００３】
このようなＰＴＰシートは、包装容器（例えば、特許文献１参照）に収容されて出荷される。
【先行技術文献】
【特許文献】
【０００４】
【特許文献１】特開２００４−３５２２５４号公報
【発明の概要】
【発明が解決しようとする課題】
【０００５】
ところで、ＰＴＰシートの内容物を取り出すためには、包装容器の差込みフラップを引き出して開封するとともに、包装容器に収容されたＰＴＰシートを取り出し、さらに、ＰＴＰシートの収容シート側窪みを押し込み、窪みの開口部を覆っている被覆シートを破る必要がある。すなわち、包装容器の開封作業と、包装容器からのＰＴＰシートの引出し作業が必要になり、作業が二度手間となる欠点がある。
【０００６】
本発明は、このような問題点に鑑みてなされたもので、ＰＴＰシートをトレーとして活用することでＰＴＰシートを取り出す際の二度手間を解消することのできる包装容器を提供するものである。
【課題を解決するための手段】
【０００７】
本発明は、所定深さの複数個の窪みが形成された収容シートと、収容シートの各窪みにそれぞれ収容された内容物と、収容シートの窪み開口部を被覆して収容シートと積層された易破断性の被覆シートとからなるＰＴＰシートと、上面部、左右の側面部，底面部及び背面部を備え、正面が開口されたスリーブとから構成され、ＰＴＰシートの積層された収容シート及び被覆シートに内容物を収容する収容部、正面部及び差込みフラップが順に折り目を介して形成され、ＰＴＰシートが収容部側自由端を先端としてスリーブの正面開口を通して出し入れ自在に嵌挿されることを特徴とするものである。
【０００８】
本発明によれば、ＰＴＰシートは、内容物を収容する収容部に正面部及び差込みフラップが順に折り目を介して連設されて形成されることにより、スリーブの正面開口を通してＰＴＰシートをその収容部側自由端を先端として嵌挿すれば、ＰＴＰシートの差込みフラップがスリーブの上面部内面に接触するとともに、その正面部がスリーブの正面開口を閉鎖して包装容器を形成する。
【０００９】
この結果、ＰＴＰシートをトレーとして活用することで包装容器の開封作業が不要になり、ＰＴＰシートを取り出す際の二度手間を解消することができる。
【００１０】
本発明において、前記スリーブの一方の側面部に折り返されたポケット片を介して挿入口を形成する第２上面部が連設されて上面部と貼着されることが好ましい。これにより、内容物がガムである場合において、ポケット片を折り込んで形成される挿入口を通して捨て紙を第２上面部のポケット片と上面部との空間に挿入することができる。この際、挿入された捨て紙を折り込まれたポケット片が弾性力によって押圧し、上面部との間で脱落しないように保持することができる。
【００１１】
本発明において、前記スリーブの上面部に内方に膨出するエンボス部が形成されることが好ましい。これにより、ポケット片を折り込んで形成される挿入口を通して第２上面部のポケット片と上面部との空間に挿入された捨て紙を安定的に保持することができる。
【００１２】
本発明において、前記スリーブの上面部の開口端部に切り裂き目によって切り離し片が区画され、該切り離し片とＰＴＰシートの差込みフラップとが接着されることが好ましい。これにより、内容物が薬剤である場合において、フィルム包装することなく包装容器におけるスリーブからのＰＴＰシートの脱落を確実に防止することができる。また、スリーブからＰＴＰシートを引き出すためには、切り裂き目に沿って切り裂いて切り離し片を上面部から分離する必要があることから、切り裂き目の状況を観察することで、意図することなく開封された包装容器を把握することができる。
【発明の効果】
【００１３】
以上のように本発明によれば、ＰＴＰシートをトレーとして活用することでＰＴＰシートを取り出す際の二度手間を解消することができる。
【図面の簡単な説明】
【００１４】
【図１】本発明の包装容器の一実施形態を示す分解斜視図である。
【図２】図１の包装容器を構成するＰＴＰシートの展開図及び模式的に示すＡ−Ａ線断面図である。
【図３】図１の包装容器を構成するスリーブの展開図である。
【図４】本発明の包装容器の他の実施形態を示す分解斜視図である。
【図５】図４の包装容器を構成するスリーブの展開図である。
【発明を実施するための形態】
【００１５】
以下、本発明の実施の形態を図面に基づいて説明する。
【００１６】
図１乃至図３には、本発明の包装容器１の一実施形態が示されている。
【００１７】
この包装容器１は、ＰＴＰシート１０と、該ＰＴＰシート１０を出し入れ自在に嵌挿されるスリーブ２０とから構成されている。
【００１８】
ＰＴＰシート１０は、図２に示すように、ポリ塩化ビニルやポリプロピレン等のプラスチックシートからなる収容シート１１と、易破断性の金属箔、例えば、アルミ箔からなる被覆シート１２と、内容物Ｃとから構成され、ヒートシールされた収容シート１１及び被覆シート１２によってＰＴＰ台紙１３が形成されている。そして、後述するスリーブ２０の底面部２３に対応する収容部１３１の収容シート１１に熱成形によって所定深さの複数個の窪み１１ａが形成されて内容物Ｃが収容され、収容部１３１に正面部１３２及び差込みフラップ１３３が順に折り目ａ，ｂを介して連設されている。
【００１９】
つまり、ＰＴＰシート１０のＰＴＰ台紙１３を構成する収容シート１１及び被覆シート１２は、スリーブ２０の底面部２３の幅に対応する幅を有するとともに、底面部２３の長さと、その正面側開口の高さに対応する長さと、設定された差込みフラップ１３３の長さの和を長さとする長方形状に形成され、ＰＴＰ台紙１３の収容部１３１に対応する収容シート１１に窪み１１ａが形成されて内容物Ｃが収容された後、窪み１１ａを除く収容シート１１に被覆シート１２がヒートシールされるとともに、ヒートシールされた収容シート１１及び被覆シート１２からなるＰＴＰ台紙１３の収容部１３１と正面部１３２との境界に折り目ａが形成され、正面部１３２と差込みフラップ１３３との境界に折り目ｂが形成される。そして、ＰＴＰ台紙１３の収容部１３１に対して折り目ａに沿って正面部１３２を差込みフラップ１３３とともに谷折りし、次いで、正面部１３２に対して折り目ｂに沿って差込みフラップ１３３を谷折りすることにより、ＰＴＰシート１０が形成される（図１参照）。
【００２０】
なお、本実施例においては、内容物Ｃがガムであることに対応して、後述するスリーブ２０に廃棄するガムの捨て紙Ｐ（図１参照）が収容されている。
【００２１】
一方、スリーブ２０は、図３の展開図において、上面部２１の左端縁に、右側面部２２、底面部２３、左側面部２４及び第２上面部２５が折り目ｃ，ｄ，ｅ，ｆを介して順に連設される一方、上面部２１の下端縁に糊代２６が折り目ｇを介して連設され、また、底面部２３の下端縁に背面部２７が折り目ｈを介して連設されて構成されている。そして、第２上面部２５には、捨て紙Ｐの挿入を案内するとともに、上面部２１との間で弾性的に保持するためのポケット片２５１が折り目ｉを介して区画形成されている。また、上面部２１には、捨て紙Ｐを収容するように、内方に向けて膨出する方形状のエンボス部２１ａが形成されている。さらに、上面部２１及び第２上面部２５には、その上端部に弓形状の切欠部２１ａ，２５ａが上下に重なるように形成されるとともに、底面部２３の上端部には、上面部２１及び第２上面部２５の切欠部２１ａ，２５ａに対応して方形状の切欠部２３ａが形成されている。
【００２２】
ここで、スリーブ２０の内寸は、スリーブ２０に対してＰＴＰシート１０を円滑に出し入れすることができるように、ＰＴＰシート１０の外寸に対応して設定されている。
【００２３】
次に、このように構成されたスリーブ２０の組み立て手順について説明する。
【００２４】
まず、図３の展開図にしたがってコートボールを打ち抜くとともに、裏面が上面を向くように反転させた後、底面部２３に対して右側面部２２を上面部２１とともに折り目ｄに沿って谷折りするとともに、上面部２１の自由端側上下各端縁部に接着剤をそれぞれ塗布する一方、第２上面部２５に対してポケット片２５１を折り目ｉを介して谷折りするとともに、第２上面部２５の自由端側上下各端縁部に接着剤を塗布した後、左側面部２４に対して第２上面部２５をポケット片２５１を折り込んだ状態で谷折りし、上面部２１に重ねて貼着する。次いで、底面部２３に対して右側面部２２を折り目ｄに沿って起立させた後、上面部２１に対して糊代２６を折り目ｇに沿って山折りするとともに、糊代２６に接着剤を塗布し、次いで、底面部２３に対して背面部２７を折り目ｈに沿って谷折りし、背面部２７を糊代２６に貼着することにより、正面が開口されたスリーブ２０が形成される（図１参照）。
【００２５】
スリーブ２０が形成されたならば、スリーブ２０の正面開口を通してＰＴＰシート１０におけるＰＴＰ台紙１３の収容部１３１の自由端側から差し込むとともに、第２上面部２５の裏面側に折り込んだポケット片２５１によって形成された挿入口２５ｘ（図１参照）を通して第２上面部２５のポケット片２５１と上面部２１のエンボス部２１ａとの間に形成された空間に捨て紙Ｐを挿入した後、包装容器１をフィルムで包装して出荷される。
【００２６】
この場合、スリーブ２０の正面開口がＰＴＰシート１０の正面部１３２によって閉鎖されるとともに、正面部１３２に連設された差込みフラップ１３３の外面がスリーブ２０の上面部２１の内面に接して支持される。
【００２７】
一方、店頭にて消費者がガムを購入して食する場合は、フィルムを剥離した後、スリーブ２０の第２上面部２５及び上面部２１に形成された切欠部２５ａ，２１ａとともに、底面部２３に形成された切欠部２３ａを通してＰＴＰシート１０の差込みフラップ１３３と収容部１３１の先端部を挟み込み、ＰＴＰシート１０を引き出す。
【００２８】
スリーブ２０からＰＴＰシート１０を引き出したならば、ＰＴＰ台紙１３の収容シート１１側窪み１１ａを押し込むことにより、被覆シート１２を破断させて内容物Ｃを押し出すことができる。
【００２９】
一方、ガムを取り出したならば、スリーブ２０に対してＰＴＰシート１０をその収容部１３１の自由端側を先端に向けて正面開口を通して押し込むことにより、スリーブ２０にＰＴＰシート１０を収容することができる。
【００３０】
したがって、スリーブ２０に対してＰＴＰシート１０を直接出し入れ自在に嵌挿することで、すなわち、ＰＴＰシート１０をトレーとして活用することで包装容器の開封作業が不要となり、ＰＴＰシート１０の取り出しに際して二度手間を解消することができる。
【００３１】
なお、ガムの噛みカスは、スリーブ２０に保持された捨て紙Ｐを引き出し、噛みカスを捨て紙Ｐによって包み込んだ後、ゴミ箱等に廃棄すればよい。そして、残りの捨て紙Ｐについては、ポケット片２５１が折り込まれることで形成された挿入口２５ｘを通して第２上面部２５のポケット片２５１と上面部２１との空間に挿入すれば、ポケット片２５１がその弾性力によって捨て紙Ｐを上面部２１との間で脱落することなく保持することができる。
【００３２】
ところで、前述した実施形態においては、ＰＴＰシート１０に内容物Ｃとしてガムを収容する場合について説明したが、ガムに限られるものではなく、例えば、内容物Ｃとして薬剤であっても構わない。
【００３３】
内容物Ｃとして薬剤を収容する場合の包装容器１も、図４に示すように、ＰＴＰシート１０及びスリーブ２０とから構成される。
【００３４】
ここで、ＰＴＰシート１０は、先に説明したＰＴＰシート１０と同一であり、同一の部材に同一の符号を付して詳細な説明を省略する。
【００３５】
また、スリーブ２０も、先に説明したＰＴＰシート１０とほぼ同一であり、同一の部材に同一の符号を付すとともに、相違する部分について主に説明する。
【００３６】
スリーブ２０は、図５の展開図において、上面部２１の左端縁に、右側面部２２及び底面部２３が折り目ｃ，ｄを介して順に連設されるとともに、上面部２１の右端縁に、左側面部２４及び糊代２８が折り目ｊ，ｋを介して順に連設される一方、上面部２１の下端縁に糊代２６が折り目ｇを介して連設され、また、底面部２３の下端縁に背面部２７が折り目ｈを介して連設されて構成されている。そして、上面部２１には、その上端部にコ字状の切り裂き目ｍにより切り離し片２１１が区画されている。また、底面部２３には、上面部２１の切り離し片２１１に対応して弓形状の切欠部２３ａが形成されている。
【００３７】
このように構成されたスリーブ２０を組み立てるには、図５の展開図にしたがってコートボールを打ち抜くとともに、裏面が上面を向くように反転させた後、左側面部２４に対して糊代２８を折り目ｋに沿って谷折りするとともに、糊代２８の表面に接着剤を塗布した後、上面部２１に対して右側面部２２を底面部２３とともに折り目ｃに沿って谷折りし、底面部２３の自由端側側縁部を糊代２８に重ねて貼着する。次いで、底面部２３に対して右側面部２２を折り目ｄに沿って起立させた後、上面部２１に対して糊代２６を折り目ｇに沿って山折りするとともに、糊代２６に接着剤を塗布し、次いで、底面部２３に対して背面部２７を折り目ｈに沿って谷折りし、背面部２７を糊代２６に貼着することにより、正面が開口されたスリーブ２０が形成される（図４参照）。
【００３８】
スリーブ２０が形成されたならば、スリーブ２０の正面開口を通してＰＴＰシート１０におけるＰＴＰ台紙１３の収容部１３１の自由端側から差し込んだ後、上面部２１に区画された切り離し片２１１の裏面及びＰＴＰシート１０の差込みフラップ１３３の表面を例えば、ホットメルト接着剤を介して接着して出荷される。
【００３９】
すなわち、医薬品の包装容器１は、一般にフィルム包装されることはないため、ＰＴＰシート１０がスリーブ２０から脱落するのを防止するため、両者を接着する。一方、スリーブ２０からＰＴＰシート１０を引き出すためには、ＰＴＰシート１０の差込みフラップ１３３に接着されたスリーブ２０における上面部２１の切り離し片２１１を切り裂き目ｍに沿って切り裂いて上面部２１から切り離す必要がある。これにより、上面部２１及び切り離し片２１１を区画する切り裂き目ｍの切り裂き状況を観察すれば、包装容器１が意図することなく開封されたか否かを把握することができる。
【００４０】
また、前述した実施形態と同様に、ＰＴＰシート１０をトレーとして活用することで包装容器の開封作業が不要となり、ＰＴＰシート１０を取り出すに際して二度手間を解消することができる。
【符号の説明】
【００４１】
１  包装容器
１０  ＰＴＰシート
１１  収容シート
１１ａ  窪み
１２  被覆シート
１３  ＰＴＰ台紙
１３１  収容部
１３２  正面部
１３３  差込みフラップ
２０  スリーブ
２１  上面部
２１１  切り離し片
２１ａ  エンボス部
２２，２４  側面部
２３  底面部
２５  第２上面部
２５ｘ  挿入口
２５１  ポケット片
ａ，ｂ  ＰＴＰシートの折り目
ｃ，ｄ，ｅ，ｆ，ｇ，ｈ，ｉ，ｊ．ｋ  スリーブの折り目
ｍ  スリーブの切り裂き目
【図１】
2014015239.tif 000003
【図２】
2014015239.tif 000004
【図３】
2014015239.tif 000005
【図４】
2014015239.tif 000006
【図５】
2014015239.tif 000007